(57)【特許請求の範囲】
【請求項１】
記録媒体の記録面に画像を形成する画像形成部の上方に、読取対象物から画像を読み取る画像読取部が設けられた構造で、前記画像形成部が組み込まれた下側本体と、前記画像読取部が組み込まれた上側本体と、前記下側本体と前記上側本体とを連結するヒンジ部とを備え、前記ヒンジ部を支点にして前記上側本体を上方へ回動させると、前記上側本体が前記下側本体との間を開く開位置へと移動する一方、前記ヒンジ部を支点にして前記上側本体を下方へ回動させると、前記上側本体が前記下側本体との間を閉じる閉位置へと移動する画像形成装置において、
前記下側本体に形成されたカム溝と、
一端が前記上側本体に回動可能に取り付けられており、他端に設けられたカムフォロワが前記カム溝に嵌め込まれて該カム溝に沿って移動可能な状態にあるリンク部材と、
一端が前記下側本体に連結され、他端が前記リンク部材に連結されており、前記上側本体に連動して前記リンク部材が移動するのに伴って弾性変形し、その変形量が前記上側本体が前記開位置から前記閉位置へ移動すると増大する弾性部材とを備え、
前記カム溝は、前記閉位置と前記開位置との間にある所定位置から前記閉位置に至る第１の範囲に前記上側本体を回動させると前記カムフォロワが当接する第１部分と、前記第１の範囲よりも前記開位置側となる第２の範囲に前記上側本体を回動させると前記カムフォロワが当接する第２部分とを有し、前記第１部分の形状は、前記上側本体を前記第１の範囲へ回動させた際に前記上側本体および前記弾性部材から前記リンク部材を介して前記カムフォロワに作用する力との関係で、前記上側本体を前記閉位置へと回動させるモーメントを発生させる形状に形成され、前記第２部分の形状は、前記上側本体を前記第２の範囲へ回動させた際に前記上側本体および前記弾性部材から前記リンク部材を介して前記カムフォロワに作用する力との関係で、少なくとも前記上側本体を前記閉位置へと回動させるモーメントを発生させない形状に形成されている
ことを特徴とする画像形成装置。
【請求項２】
前記カム溝の前記第２部分は、前記カムフォロワが当接した際に、前記上側本体を開位置へと回動させるモーメントと前記閉位置へと回動させるモーメントが釣り合って、前記上側本体が前記第２の範囲内の任意の位置で静止する形状に形成されている
ことを特徴とする請求項１に記載の画像形成装置。
【請求項３】
前記リンク部材が、間隔を開けて複数配設されている
ことを特徴とする請求項１または請求項２に記載の画像形成装置。
【請求項４】
前記複数のリンク部材間に架橋部材が架け渡されて、前記複数のリンク部材が互いに相対的に変位しないように構成されている
ことを特徴とする請求項３に記載の画像形成装置。
【請求項５】
前記上側本体が前記閉位置に回動すると、前記架橋部材が前記上側本体と前記下側本体との間に移動して装置外装の一部となる一方、前記上側本体が前記開位置に回動すると、前記架橋部材が下方へと移動して、該架橋部材と前記上側本体との間隔が拡大するように構成されている
ことを特徴とする請求項４に記載の画像形成装置。
【請求項６】
前記画像形成部が、形成した画像を加熱して記録媒体に定着させる定着部を有し、前記上側本体が前記開位置に回動すると、前記架橋部材が前記定着部を覆い隠す位置に変位する
ことを特徴とする請求項４または請求項５に記載の画像形成装置。
【請求項７】
前記リンク部材が、間隔を開けて形成された一対の側壁部を有する形状で、前記弾性部材が、前記一対の側壁部間において前記リンク部材に連結されている
ことを特徴とする請求項１〜請求項６のいずれかに記載の画像形成装置。
【請求項８】
前記上側本体に設けられた係合部と、該上側本体が前記閉位置に回動した時に前記係合部と係合して前記上側本体を回動不能な状態とする被係合部とからなり、前記係合部と前記被係合部との係合を解除すると前記上側本体が回動可能な状態となるロック機構を備えており、
前記係合部と前記被係合部との係合を解除する際に操作される操作部が、前記上側本体に設けられている
ことを特徴とする請求項１〜請求項７のいずれかに記載の画像形成装置。
【請求項９】
前記画像読取部が、前記読取対象物に沿ってイメージセンサを移動させつつ前記読取対象物から画像を読み取るフラットベッド型イメージスキャナである
ことを特徴とする請求項１〜請求項８のいずれかに記載の画像形成装置。
【発明の詳細な説明】
【０００１】
【発明の属する技術分野】
本発明は、画像形成装置に関する。
【０００２】
【従来の技術】
従来から、記録媒体の記録面に画像を形成する画像形成部の上方に、読取対象物から画像を読み取る画像読取部が設けられた構造の画像形成装置が知られている。
【０００３】
また、この種の画像形成装置において、画像形成部が組み込まれた下側本体と、画像読取部が組み込まれた上側本体と、下側本体と上側本体とを連結するヒンジ部とを備え、ヒンジ部を支点にして上側本体を上方へ回動させると、上側本体が下側本体との間を開く開位置へと移動する一方、ヒンジ部を支点にして上側本体を下方へ回動させると、上側本体が下側本体との間を閉じる閉位置へと移動する構造も知られている。
【０００４】
【発明が解決しようとする課題】
ところで、上記のような画像形成装置において、上側本体と下側本体との間には、上側本体を閉位置に移動させると変形量が増大するバネが介装され、上側本体を開位置側へ付勢するように構成されていた。そして、このバネの強さは、上側本体を開位置へ移動させた際に、上側本体が自重で閉位置へと移動するのを防止できる程度に調整されていた。
【０００５】
しかし、このような画像形成装置によれば、上側本体を閉位置へ移動させた際には、バネの変形量が増大するのに伴い、上側本体の自重を支えるのに必要な力よりも大きな力がバネに蓄積され、その結果、バネから上側本体に作用する応力が大きくなるため、上側本体を閉位置へ近づけるほど大きな操作力が必要になって操作性が悪化するという欠点があった。また、上側本体は通常は閉位置に移動していて、常にバネからの応力が上側本体にかかっているため、上側本体に歪みが生じる原因になる恐れがあった。
【０００６】
本発明は、上記問題を解決するためになされたものであり、その目的は、上側本体を閉位置へ移動させる操作が容易で、上側本体に過大な応力が作用しにくい画像形成装置を提供することにある。
【０００７】
【課題を解決するための手段、および発明の効果】
上述の目的を達成するために、本発明の画像形成装置は、
記録媒体の記録面に画像を形成する画像形成部の上方に、読取対象物から画像を読み取る画像読取部が設けられた構造で、前記画像形成部が組み込まれた下側本体と、前記画像読取部が組み込まれた上側本体と、前記下側本体と前記上側本体とを連結するヒンジ部とを備え、前記ヒンジ部を支点にして前記上側本体を上方へ回動させると、前記上側本体が前記下側本体との間を開く開位置へと移動する一方、前記ヒンジ部を支点にして前記上側本体を下方へ回動させると、前記上側本体が前記下側本体との間を閉じる閉位置へと移動する画像形成装置において、
前記下側本体に形成されたカム溝と、
一端が前記上側本体に回動可能に取り付けられており、他端に設けられたカムフォロワが前記カム溝に嵌め込まれて該カム溝に沿って移動可能な状態にあるリンク部材と、
一端が前記下側本体に連結され、他端が前記リンク部材に連結されており、前記上側本体に連動して前記リンク部材が移動するのに伴って弾性変形し、その変形量が前記上側本体が前記開位置から前記閉位置へ移動すると増大する弾性部材とを備え、
前記カム溝は、前記閉位置と前記開位置との間にある所定位置から前記閉位置に至る第１の範囲に前記上側本体を回動させると前記カムフォロワが当接する第１部分と、前記第１の範囲よりも前記開位置側となる第２の範囲に前記上側本体を回動させると前記カムフォロワが当接する第２部分とを有し、前記第１部分の形状は、前記上側本体を前記第１の範囲へ回動させた際に前記上側本体および前記弾性部材から前記リンク部材を介して前記カムフォロワに作用する力との関係で、前記上側本体を前記閉位置へと回動させるモーメントを発生させる形状に形成され、前記第２部分の形状は、前記上側本体を前記第２の範囲へ回動させた際に前記上側本体および前記弾性部材から前記リンク部材を介して前記カムフォロワに作用する力との関係で、少なくとも前記上側本体を前記閉位置へと回動させるモーメントを発生させない形状に形成されている
ことを特徴とする。
【０００８】
この画像形成装置において、上側本体を回動させるモーメントとしては、上側本体に作用する重力が上側本体を閉位置へと回動させるモーメント、弾性部材からリンク部材を介して上側本体に作用する弾性力が上側本体を開位置へと回動させるモーメントなどがあるが、ここでは、これら上側本体に作用するすべてのモーメントの合計が上側本体を閉位置へと回動させる値になることを、「上側本体を閉位置へと回動させるモーメントが発生する」といい、これら上側本体に作用するすべてのモーメントの合計が上側本体を閉位置へと回動させる値にならない（すなわち、モーメントの合計が０（ゼロ）になるか上側本体を開位置へと回動させる値になる）ことを、「少なくとも上側本体を閉位置へと回動させるモーメントが発生しない」という。
【０００９】
重力によるモーメントは、上側本体の回動に伴って上側本体の回転中心と上側本体の重心との位置関係が変わると変化するが、上側本体の回動角が決まれば特定できる。弾性部材からリンク部材を介して上側本体に作用する弾性力によるモーメントは、上側本体の回転中心と上側本体−リンク部材の連結点とリンク部材−カム溝の接触点の位置関係、弾性部材の変形量などによって変化するが、カム溝の形状を調節して、リンク部材−カム溝の接触点の位置や、その接触点における各部材相互の接触角を最適化することにより、その大きさを加減できる。そこで、この画像形成装置においては、重力によるモーメントを基準にして、閉位置と開位置との間にある所定位置から閉位置に至る第１の範囲に上側本体を回動させると、上側本体を閉位置へと回動させるモーメントが発生するように、カム溝の形状を設定し、また、第１の範囲よりも開位置側となる第２の範囲に上側本体を回動させると、少なくとも上側本体を閉位置へと回動させるモーメントが発生しなくなるように、カム溝の形状を設定している。
【００１０】
このように構成された画像形成装置によれば、閉位置と開位置との間にある所定位置から閉位置に至る第１の範囲に上側本体を回動させると、上側本体を閉位置へと回動させるモーメントが発生するので、利用者が過大な力を加えなくても、容易に上側本体と下側本体との間を閉じることができる。
【００１１】
また、第１の範囲よりも開位置側となる第２の範囲に上側本体を回動させると、少なくとも上側本体を閉位置へと回動させるモーメントが発生しなくなるので、利用者が上側本体を支持していなくても、上側本体を開いて行う作業（例えば、装置の修理・調整、交換部品の交換など）を実施することができる。
【００１２】
さらに、弾性部材は、下側本体とリンク部材との間に設けられていて、上側本体には連結されていないので、弾性部材から作用する力で上側本体に歪みが生じることもない。
なお、以上説明した画像形成装置は、前記カム溝の前記第２部分は、前記カムフォロワが当接した際に、前記上側本体を開位置へと回動させるモーメントと前記閉位置へと回動させるモーメントが釣り合って、前記上側本体が前記第２の範囲内の任意の位置で静止する形状に形成されていてもよい。
【００１３】
このような画像形成装置によれば、上側本体が第２の範囲内の任意の位置で静止するので、上側本体が自ら開位置へと変位してしまうのを防止でき、例えば、狭い空間内に画像形成装置が収容されている場合など、上側本体を完全に開位置まで変位させたくない場合には好都合である。
【００１４】
また、前記リンク部材が、間隔を開けて複数配設されているとよい。
このような画像形成装置であれば、リンク部材が１つしか配設されていないものに比べ、上側本体がより多くの点で支持されるので、上側本体の安定性が高くなる。
【００１５】
また、前記複数のリンク部材間に架橋部材が架け渡されて、前記複数のリンク部材が互いに相対的に変位しないように構成されていてもよい。
このような画像形成装置によれば、複数のリンク部材の動きを確実に同期させることができるので、複数のリンク部材がばらばらに動作し得る構造に比べ、上側本体を捻るような応力が上側本体に作用しにくく、上側本体をよりスムーズに回動させることができる。
【００１６】
また、前記上側本体が前記閉位置に回動すると、前記架橋部材が前記上側本体と前記下側本体との間に移動して装置外装の一部となる一方、前記上側本体が前記開位置に回動すると、前記架橋部材が下方へと移動して、該架橋部材と前記上側本体との間隔が拡大するように構成されていてもよい。
【００１７】
このような画像形成装置によれば、上側本体が開位置に回動すると、架橋部材が下方へと移動するので、単に上側本体だけが開位置に回動するものに比べ、架橋部材と上側本体との間隔がより大きく拡大する。したがって、上側本体を開いて行う作業（例えば、装置の修理・調整、交換部品の交換など）が実施しやすくなる。
【００１８】
また、前記画像形成部が、形成した画像を加熱して記録媒体に定着させる定着部を有し、前記上側本体が前記開位置に回動すると、前記架橋部材が前記定着部を覆い隠す位置に変位するようになっていてもよい。
このような画像形成装置によれば、定着処理に伴って定着部が高温になっていたとしても、架橋部材が定着部を覆い隠しているので、上側本体を開いて行う作業を実施する際に、誤って定着部に触れてしまうのを防止することができる。
【００１９】
また、前記リンク部材が、間隔を開けて形成された一対の側壁部を有する形状で、前記弾性部材が、前記一対の側壁部間において前記リンク部材に連結されていてもよい。
このような画像形成装置によれば、リンク部材の側壁部間において弾性部材がリンク部材に連結されているので、弾性部材がリンク部材の側壁部によって保護され、上側本体を開いて行う作業を実施する際に、誤って弾性部材に触れてしまうのを防止することができる。
【００２０】
また、前記上側本体に設けられた係合部と、該上側本体が前記閉位置に回動した時に前記係合部と係合して前記上側本体を回動不能な状態とする被係合部とからなり、前記係合部と前記被係合部との係合を解除すると前記上側本体が回動可能な状態となるロック機構を備えており、
前記係合部と前記被係合部との係合を解除する際に操作される操作部が、前記上側本体に設けられていてもよい。
【００２１】
このような画像形成装置によれば、操作部が上側本体に設けられているので、上側本体を手で持って開位置へと移動させる際に、その手で操作部を操作して係合を解除して、そのまま上側本体を持ち上げることができる。したがって、例えば、係合を解除する操作部が下側本体に設けられているものに比べ、上側本体を開位置へ移動させる際の操作性が良好となる。
【００２２】
さらに、前記画像読取部が、前記読取対象物に沿ってイメージセンサを移動させつつ前記読取対象物から画像を読み取るフラットベッド型イメージスキャナであるとよい。
このような画像形成装置によれば、歪みが生じにくい構造の上側本体にフラットベッド型イメージスキャナを組み込んであるので、フラットベッド型イメージスキャナの読取精度を良好に保つことができる。
【００２３】
【発明の実施の形態】
次に、本発明の実施形態について一例を挙げて説明する。
本発明の実施形態として以下に例示する画像形成装置は、本発明の特徴的構成を採用したイメージスキャナ付レーザープリンタである。
【００２４】
図１に示すように、イメージスキャナ付レーザープリンタ１（以下、プリンタ１という）は、レーザープリンタ部１ａ（本発明でいう画像形成部）が下側本体３に組み込まれ、イメージスキャナ部１ｂ（本発明でいう画像読取部）が上側本体５に組み込まれた構造になっている。プリンタ１の背面側には、下側本体３と上側本体５とを連結するヒンジ部７が設けられ、ヒンジ部７を支点にして上側本体５を上方へ回動させると、図２に示すように、上側本体５が下側本体３との間を開く開位置へと移動する一方、ヒンジ部７を支点にして上側本体５を下方へ回動させると、図１に示したように、上側本体５が下側本体３との間を閉じる閉位置へと移動するように構成されている。また、プリンタ１の正面側には、操作パネル９が設けられている。
【００２５】
レーザープリンタ部１ａは、プリンタ１の背面側にある給紙トレイ１１から記録紙を取り込んで記録紙に画像を形成し、プリンタ１の正面側にある排紙口１３から記録紙を排出するように構成されている。排紙口１３の下方には、引き出し式の排紙トレイ１５が格納されており、必要に応じて排紙トレイ１５を引き出して、排紙口１３から排出される記録紙を受けることができる。
【００２６】
イメージスキャナ部１ｂは、フラットベッド型のものであり、プラテンガラス（図示略）に沿って移動するライン型イメージセンサ（図示略）で、プラテンガラス上に載置された原稿から画像を読み取るように構成されている。また、イメージスキャナ部１ｂの左端側には、複数枚の原稿から画像を順に読み取るためのＡＤＦ機構１７も設けられている。ＡＤＦ機構１７は、上述のイメージセンサを移動させずに、原稿供給トレイ１９から１枚ずつ原稿を取り込んでイメージセンサの上方を通過させ、そこで原稿から画像を読み取って原稿排出トレイ２１に原稿を排出するものである。
【００２７】
また、このプリンタ１において、下側本体３と上側本体５との間には、図２に示すように、下側本体３および上側本体５の双方に対して動作可能に連結された可動部材２３が介装されている。この可動部材２３は、図３に示すように、両端に設けられた一対のリンク部材２５と、これらリンク部材２５間に架け渡された架橋部材２７とを一体成形したものである。
【００２８】
各リンク部材２５は、平行に形成された一対の側壁部２５ａ、２５ｂを有する形状で、外側となる側壁部２５ｂには、円筒形の回転軸３１と、円筒形のカムフォロワ３３が突設されている。回転軸３１は、図４に示すように、上側本体５に設けられた軸受３５に回動可能に取り付けられ、カムフォロワ３３は、下側本体３に形成されたカム溝３７に嵌め込まれている。また、リンク部材２５と上側本体５との間には、図５に示すように、バネ３９（本発明でいう弾性部材）が架け渡されている。バネ３９は、リンク部材２５の側壁部２５ａ、２５ｂ間においてリンク部材２５に連結されており、これにより、側壁部２５ａ、２５ｂが、バネ３９と外部のものとの接触を防止する役割を果たしている。
【００２９】
架橋部材２７は、図１および図４に示すように、上側本体５が閉位置にある時には装置外装の一部となる部分で、架橋部材２７の中央には、被係合部４１が設けられている。被係合部４１は、上側本体５側に配設された係合部４３とともにロック機構を構成する部材であり、係合部４３と被係合部４１とが係合している状態では、上側本体５が回動不能な状態となっている。一方、図６に示すように、係合部４３と一体に形成された操作部４５をプリンタ１の正面側（図６中の矢印Ａ方向）へ引っ張ると、係合部４３と被係合部４１との係合が解除され、これにより、上側本体５を上方へ持ち上げて、図７に示すように、上側本体５を開位置へと回動させることができる。なお、係合部４３および操作部４５は、バネ４７の弾性力により、常に被係合部４１と係合する方向へ付勢されている。
【００３０】
ところで、上側本体５の荷重は、ヒンジ部７とリンク部材２５とにかかっていて、リンク部材２５にかかった荷重は、カムフォロワ３３を介してカム溝３７にかかっている。また、リンク部材２５は、バネ３９の弾性力によって特定方向に付勢されるため、その力もカムフォロワ３３を介してカム溝３７にかかっている。このような状態においてカムフォロワ３３からカム溝３７側へ作用する力は、カムフォロワ３３とカム溝３７の当接面に平行な分力と垂直な分力とに分解でき、当接面に平行な分力はカムフォロワ３３をカム溝３７に沿って移動させる力となり、当接面に垂直な分力はカムフォロワ３３をカム溝３７に圧接させる力となる。ここで、カム溝３７の形状は任意に設定できるので、このプリンタ１においては、カムフォロワ３３とカム溝３７の当接面の傾きが、プリンタ１の正面側寄りの第１部分では、当接面に平行な分力が大きくなって、カムフォロワ３３がカム溝３７に沿ってプリンタ１の正面側へ移動するような傾きとしてある。また、プリンタ１の背面側寄りの第２部分では、当接面に平行な分力が小さくなって、カムフォロワ３３がカム溝３７に沿って移動しないような傾きとしてある。このような形状のカム溝３７を設けると、上側本体５を閉位置側へと回動させてカムフォロワ３３をカム溝３７の第１部分に到達させると、上側本体５を閉位置へと回動させるモーメントが発生し、上側本体５は自重で閉位置へと移動する。一方、上側本体５を開位置側へと回動させてカムフォロワ３３をカム溝３７の第２部分に到達させると、上側本体５を回動させるモーメントが発生しなくなるので、カムフォロワ３３がカム溝３７の第２部分内にある限り、上側本体５は任意の位置で静止する。
【００３１】
さらに、このプリンタ１において、レーザープリンタ部１ａは、図４に示すように、イメージスキャナ部１ｂで読み取った画像のデータまたは外部から入力したデータに基づいてレーザー光を投射するスキャナユニット５１と、スキャナユニット５１からのレーザー光によって静電潜像が形成される感光ドラム５３と、感光ドラム５３上に形成された静電潜像を現像する現像ローラ５５と、現像ローラ５５によって感光ドラム５３上で現像された画像を記録紙に転写する転写ローラ５７と、転写ローラ５７によって記録紙に転写された画像を加熱・加圧して記録紙に定着させる定着ユニット５９（本発明でいう定着部）とを備えている。
【００３２】
これらの内、感光ドラム５３、現像ローラ５５、転写ローラ５７等は、図８に示すように、下側本体３に対して着脱可能なカートリッジ６１に組み込まれていて、上側本体５を開位置へと回動させた状態で、カートリッジ６１を交換できるようになっている。また、上側本体５を開位置へと回動させた際には、架橋部材２７が定着ユニット５９を覆い隠す位置に変位する。これにより、カートリッジ６１を交換する作業者が、誤って高温になっている定着ユニット５９に触れてしまうのを防止することができる。
【００３３】
以上のように構成されたプリンタ１によれば、閉位置と開位置との間にある所定位置から閉位置に至る第１の範囲に上側本体５を回動させると、上側本体５を閉位置へと回動させるモーメントが発生するので、利用者が過大な力を加えなくても、容易に上側本体５と下側本体３との間を閉じることができる。
【００３４】
また、第１の範囲よりも開位置側となる第２の範囲に上側本体５を回動させると、上側本体５を回動させるモーメントが発生しなくなるので、利用者が上側本体５を支持していなくても、上側本体５を任意の位置で静止させて行う作業（例えば、装置の修理・調整、カートリッジ６１の交換など）を実施することができる。
【００３５】
さらに、このプリンタ１において、バネ３９は、下側本体３とリンク部材２５との間に設けられていて、上側本体５には連結されていないので、バネ３９から作用する力で上側本体５に歪みが生じることもない。
また、リンク部材２５が、間隔を開けて２つ配設されているので、リンク部材２５が１つしか配設されていないようなものに比べ、上側本体５がより多くの点で支持され、上側本体５を開いたときの安定性が高くなる。しかも、２つのリンク部材２５間には架橋部材２７が架け渡されているので、２つのリンク部材２５の回動角は常に一致し、上側本体５を捻るような応力が上側本体５に作用しにくく、上側本体５をよりスムーズに回動させることができる。
【００３６】
また、このプリンタ１において、上側本体５が開位置に回動すると、架橋部材２７が下方へと移動するので、単に上側本体５だけが開位置に回動するものに比べ、架橋部材２７と上側本体５との間隔がより大きく拡大する。したがって、上側本体５を開いて行う作業が実施しやすくなる。
【００３７】
また、このプリンタ１によれば、係合部４３と被係合部４１との係合を解除する際に操作される操作部４５が、上側本体５に設けられているので、上側本体５を手で持って開位置へと移動させる際に、その手で操作部４５を操作して係合を解除して、そのまま上側本体５を持ち上げることができる。
【００３８】
以上、本発明の実施形態について説明したが、本発明は上記の具体的な一実施形態に限定されず、この他にも種々の形態で実施することができる。
例えば、上記プリンタ１では、バネ３９が、上側本体５が閉位置へ回動するのに伴って伸長するように配設されていたが、カムフォロワ３３を背面側方向へ付勢するようになっていれば、リンク部材２５とバネとの位置関係によっては、上側本体５が閉位置へ回動するのに伴って圧縮されるように配設されていてもよい。
【００３９】
また、上記プリンタ１においては、操作部４５を略水平にスライドさせると、被係合部４１と係合部４３との係合が解除されるようになっていたが、図９（ａ）、および同図（ｂ）に示すように、軸７１を中心に回動する係合部７３および操作部７５を設けて、バネ７７の弾性力に抗して操作部７５を回動させると、被係合部４１と係合部７３との係合が解除されるような構造としてもよい。
【００４０】
さらに、上記プリンタ１は、架橋部材２７が、高温になる定着ユニット５９のカバーとして機能するように構成してあったが、例えば画像形成部としてインクジェット方式の画像形成部を採用した場合等、定着ユニット５９が不要となる場合には、架橋部材２７は特にカバーとして機能しないものでも十分である。
【図面の簡単な説明】
【図１】  本発明の実施形態として説明した画像形成装置（イメージスキャナ付レーザープリンタ）の斜視図である。
【図２】  画像形成装置の上側本体を開位置へ移動させた状態を示す斜視図である。
【図３】  可動部材（リンク部材および架橋部材）の斜視図である。
【図４】  上側本体が閉位置にある時の画像形成装置を示し、（ａ）はその部分背面図、（ｂ）は内部構造を示す概略構成図である。
【図５】  上側本体が閉位置にある時のリンク部材およびバネの周辺構造を示す概略構成図である。
【図６】  係合部および被係合部の周辺構造を示す概略構成図である。
【図７】  上側本体が開位置にある時のリンク部材およびバネの周辺構造を示す概略構成図である。
【図８】  上側本体が開位置にある時の画像形成装置の内部構造を示す概略構成図である。
【図９】  係合部および被係合部の周辺構造の変形例を示す概略構成図である。
【符号の説明】
１・・・プリンタ（イメージスキャナ付レーザープリンタ）、１ａ・・・レーザープリンタ部、１ｂ・・・イメージスキャナ部、３・・・下側本体、５・・・上側本体、７・・・ヒンジ部、９・・・操作パネル、１１・・・給紙トレイ、１３・・・排紙口、１５・・・排紙トレイ、１７・・・ＡＤＦ機構、１９・・・原稿供給トレイ、２１・・・原稿排出トレイ、２３・・・可動部材、２５・・・リンク部材、２５ａ，２５ｂ・・・側壁部、２７・・・架橋部材、３１・・・回転軸、３３・・・カムフォロワ、３５・・・軸受、３７・・・カム溝、３９・・・バネ、４１・・・被係合部、４３・・・係合部、４５・・・操作部、５１・・・スキャナユニット、５３・・・感光ドラム、５５・・・現像ローラ、５７・・・転写ローラ、５９・・・定着ユニット、６１・・・カートリッジ。
【図１】
0003956626.tif 000002
【図２】
0003956626.tif 000003
【図３】
0003956626.tif 000004
【図４】
0003956626.tif 000005
【図５】
0003956626.tif 000006
【図６】
0003956626.tif 000007
【図７】
0003956626.tif 000008
【図８】
0003956626.tif 000009
【図９】
0003956626.tif 000010